(57)【特許請求の範囲】
【請求項１】
ステアリングホイールと、該ステアリングホイールのシャフトと、該シャフトに連結されて該シャフトの回転変位を信号に変換するポテンショメータと、該ポテンショメータを固設すると共に、前記シャフトを回転自在に軸着する背板と、該背板と該シャフト間に装架されて該シャフトに回転反力を与えるトーションスプリングとから成るゲーム機のステアリングホイール型コントローラに於て、前記背板を金属板で成形すると共に、該背板に開口部を開穿し、該開口部に前記シャフトを軸支するためのラジアルベアリングを挿着し、且つ、該ラジアルベアリングに前記ポテンショメータを嵌着し、更に、該背板の所定個所を打抜き突設して前記トーションスプリングの端部を係止するための係止爪を設けたことを特徴とするゲーム機のステアリングホイール型コントローラ。
【発明の詳細な説明】
【０００１】
【発明の属する技術分野】
本発明はゲーム機のステアリングホイール型コントローラに関するものであり、特に、ステアリングホイールの操作力を大きくとれるようにしたゲーム機のステアリングホイール型コントローラに関するものである。
【０００２】
【従来の技術】
従来、此種ステアリングホイール型コントローラを図３及び図４に従って説明する。図に於て１はゲーム機のステアリングホイール型コントローラであり、該ステアリングホイール型コントローラ１は、ステアリングホイール２と、該ステアリングホイール２の中心部に固着され、且つ、該ステアリングホイール２の回転変位を伝達するシャフト３と、該シャフト３に連結され、且つ、該シャフト３の回転変位を信号に変換するポテンショメータ４と、該ポテンショメータ４を固設すると共に、前記シャフト３を回転自在に軸着する背板５と、該背板５とシャフト３間に装架され、且つ、該シャフト３に回転反力を与えるトーションスプリング６とから成る。
【０００３】
而して、前記シャフト３の先端部には、前記トーションスプリング６を巻装する巻装胴７が設けられ、且つ、該巻装胴７の左側に該シャフト３の軸方向に直交して立設するフランジ部８が設けられている。そして、該フランジ部８の右側面で、且つ、該フランジ部８の中心部から所定間隔離間した位置に係止部９が突設され、ボルト１０にて螺着されている。そして、前記トーションスプリング６の両端部が該係止部９に当接されている。又、該シャフト３の右端中心部には半月状の嵌合穴１１が設けられ、更に、該嵌合穴１１に対応して前記ポテンショメータ４の回転軸４ａも半月状に形成され、そして、双方を嵌合し、前記シャフト３の回転を該ポテンショメータ４の回転軸４ａに伝達できるように構成されている。
【０００４】
更に、前記背板５は合成樹脂で形成され、且つ、該背板５の略中央部には開口部１２が開穿されている。そして、該開口部１２に前記ポテンショメータ４の中心部に設けた突設部４ｂ（図３に於て左方）を嵌合して、該ポテンショメータ４を前記背板５に固着している。又、該開口部１２の円周方向であって、且つ、該背板５の左側面に前記シャフト３の巻装胴７を軸支するための軸支部１３が突設されている。更に又、該背板５の左側面で、且つ、前記開口部１２から所定間隔離間した位置に、前記トーションスプリング６の端部を係止するための係止片１４が突設され、ボルト１５にて螺着されている。
【０００５】
そこで、前記トーションスプリング６は前述したように、前記シャフト３の前記巻装胴７に巻装されると共に、その両端を前記フランジ部８に設けた前記係止部９に当接される。更に、前記シャフト３に前記背板５を組付けた時、該トーションスプリング６の両端間の間隙に前記背板５に設けた前記係止片１４が臨むように構成されている。従って、前記ステアリングホイール２の非操作時に於ては、該トーションスプリング６の両端は前記係止部９に当接されており、該ステアリングホイール２が操作されると該係止部９が回転し、該係止部９に当接される該トーションスプリング６の片方の端部が該係止部９の回転に追随して回動する。一方、該トーションスプリング６の他端は前記背板５に設けた前記係止片１４にて回動が規制されるため、該トーションスプリング６が変形して反力が生じる。尚、図中１６は筐体である。
【０００６】
而して、前記シャフト３に前記背板５を組付ける場合は、該背板５に設けた前記軸支部１３と該シャフト３に設けた前記巻装胴７との心合せを行うと共に、該背板５に装着された前記ポテンショメータ４の回転軸４ａと該シャフト３に設けた前記嵌合穴１１との心合せを行ない、更に、該背板５に設けた前記係止片１４を前記トーションスプリング６の両端間の間隙に臨ませるという作業を同時に行って組付けている。
【０００７】
斯くして、前記ステアリングホイール２が操作されると、該操作力は前記シャフト３に伝達されて該シャフト３が回転し、更に、前記ポテンショメータ４を回動させ、該ポテンショメータ４に電気抵抗値の変位信号を発生させる。そして、前記シャフト３の回転に伴い、前記フランジ８の係止部９も回転し、前記トーションスプリング６の片方の端部が該係止部９の回転に追随して回動する。一方、該トーションスプリング６の他端は、前記背板５に設けた係止片１４にて回動が規制されるため、該トーションスプリングは変形し、該変形により前記トーションスプリング６に発生する反力が前記ステアリングホイール２の操作者に伝わって、該操作者に対し実際にステアリングホイール操作をしているように知覚させることができる。
【０００８】
【発明が解決しようとする課題】
上記従来例のステアリングホイール型コントローラは背板が合成樹脂で形成されており、且つ、該合成樹脂の背板にトーションスプリングを係止する係止片をボルト締めにて突設させているので、該背板及び係止片は前記トーションスプリングに大きな反力が発生すると、変形又は破壊する虞れがあり、そのためステアリングホイールの操作力を大きくとることができないという問題があった。更に、シャフトの巻装胴は前記合成樹脂の背板に突設され、且つ、該背板と一体に形成された軸支部に軸支されているため、シャフトの回転の円滑性を損なうと云う欠陥があった。
【０００９】
又、前記ステアリングホイール型コントローラは背板にポテンショメータ及び係止片を固着した後、該背板をシャフトに接合するので、該接合時に該背板の軸支部と巻装胴との心合せの外に、該ポテンショメータとシャフトとの心合せ、及び該係止片を該巻装胴に巻装されたトーションスプリングの両端間の間隙に臨ませる作業を同時に行なう必要があり、組立上の作業性が悪くコストアップの要因となっていた。
【００１０】
そこで、ゲーム機のステアリングホイールであって、該ステアリングホイールに大なる操作力を付与すると共に回転を円滑にし、且つ、組立の作業性を向上させるために解決すべき技術的課題が生じてくるのであり、本発明はこの課題を解決することを目的とする。
【００１１】
【課題を解決するための手段】
本発明は上記目的を達成するために提案されたものであり、ステアリングホイールと、該ステアリングホイールのシャフトと、該シャフトに連結されて該シャフトの回転変位を信号に変換するポテンショメータと、該ポテンショメータを固設すると共に、前記シャフトを回転自在に軸着する背板と、該背板と該シャフト間に装架されて該シャフトに回転反力を与えるトーションスプリングとから成るゲーム機のステアリングホイール型コントローラに於て、前記背板を金属板で成形すると共に、該背板に開口部を開穿し、該開口部に前記シャフトを軸支するためのラジアルベアリングを挿着し、且つ、該ラジアルベアリングに前記ポテンショメータを嵌着し、更に、該背板の所定個所を打抜き突設して前記トーションスプリングの端部を係止するための係止爪を設けたゲーム機のステアリングホイール型コントローラを提供するものである。
【００１２】
【発明の実施の形態】
以下、本発明の一実施の形態を図１及び図２に従って詳述する。図に於て２０はゲーム機のステアリングホイール型コントローラである。該ステアリングホイール型コントローラ２０はステアリングホイール２１と、該ステアリングホイール２１の中心部に固着され、且つ、該ステアリングホイール２１の回転変位を伝達するシャフト２２と、該シャフト２２に連結され、且つ、該シャフト２２の回転変位を信号に変換するポテンショメータ２３と、該ポテンショメータ２３を固設すると共に、前記シャフト２２を回転自在に軸着する背板２４と、該背板２４とシャフト２２間に装架され、且つ、該シャフト２２に回転反力を与えるトーションスプリング２５とから成る。
【００１３】
而して、前記シャフト２２の右端部に前記トーションスプリング２５を巻装した巻装胴２６が設けられ、且つ、該巻装胴２６の左側に該シャフト２２の軸方向に直交して立設するフランジ部２７が設けられている。そして、該フランジ部２７の右側面で且つ、該フランジ部２７の中心部から所定間隔離間した位置に係止部２８が突設され、ボルト２９にて螺着され、そして、前記トーションスプリング２５の両端部が該係止部２８に当接されている。
【００１４】
又、該シャフト２２の右端中心部には半月状の嵌合穴３０が設けられ、更に、該嵌合穴３０に対応して前記ポテンショメータ２３の回転軸２３ａも半月状に形成され、そして、双方を嵌合し、前記シャフト２２の回転を該ポテンショメータ２３の回転軸２３ａに伝達できるように構成されている。
【００１５】
更に、前記背板２４は金属板で形成され、且つ、該背板２４の略中央部に開口部３１が開穿され、該開口部３１に前記シャフト２２を回転自在に軸支するラジアルベアリング３２が挿着されている。又、該背板２４の左側面で、且つ、前記開口部３１から所定距離離間した位置に、前記トーションスプリング２５の端部を係止するための係止爪３３が打抜き押出し加工にて突設されている。
【００１６】
そこで、前記トーションスプリング２５は前述したように、前記シャフト２２の前記巻装胴２６に巻装されると共に、その両端を前記フランジ部２７に設けた前記係止部２８に当接される。そして、前記シャフト２２に前記背板２４を組付けた時、該トーションスプリング２５の両端間の間隙に前記背板２４に設けた係止爪３３を遊挿する。従って、前記ステアリングホイール２１の非操作時に於ては、該トーションスプリング２５の両端は前記係止部２８に当接されており、該ステアリングホイール２１が操作されると該係止部２８が回転し、該係止部２８に当接されている該トーションスプリング２５の片方の端部が該係止部２８の回転に追随して回動する。一方、該トーションスプリング２５の他端は前記背板２４に設けた前記係止爪３３にて回動が規制されるため、該トーションスプリング２５が変形して反力が生じる。
【００１７】
而して、前記シャフト２２に前記背板２４を組付ける場合は、該背板２４の開口部３１に嵌着された前記ラジアルベアリング３２にグリース等を塗布した後、前記シャフト２２の巻装胴２６を軸着させ、且つ、前記係止爪３３を前記トーションスプリング２５の両端間の間隙に臨ませて前記シャフト２２に前記背板２４を固着することになる。
【００１８】
そして、前記ポテンショメータ２３の前記回転軸２３ａを前記シャフト２２の前記嵌合穴３０と合致するように調整した後、該回転軸２３ａを前記ラジアルベアリング３２の中心開口部３２ａの右方から該中心開口部３２ａに挿入し、該中心開口部３２ａを通過させて該回転軸２３ａを前記嵌合穴３０に嵌合させ、然る後、前記ポテンショメータ２３を前記ラジアルベアリング３２に固着する。
【００１９】
斯くして、前記ステアリングホイール２１が操作されると、該操作力は前記シャフト２２に伝達されて該シャフト２２が回転し、更に、前記ポテンショメータ２３を回動させ、該ポテンショメータ２３に該シャフト２２の回転変位信号を発生させる。又、前記シャフト２２の回転に伴い前記フランジ部２７の係止部２８も回転し、該係止部２８に当接されている前記トーションスプリング２５の片方の端部が該係止部２８の回転に追随して回動する。一方、該トーションスプリング２５の他端は、前記背板２４に設けた前記係止爪３３にて回動が規制されるため該トーションスプリング２５は変形し、そして、該変形により該トーションスプリング２５に発生する反力が前記ステアリングホイール２１の操作者に伝わって、該操作者に対し実際にステアリングホイール操作をしているように知覚させることができる。
【００２０】
尚、本発明は、本発明の精神を逸脱しない限り種々の改変を為すことができ、そして、本発明が該改変されたものに及ぶことは当然である。
【００２１】
【発明の効果】
本発明は上記一実施の形態に詳述したように、ステアリングホイール型コントローラの背板を金属板で形成すると共に、該金属板の所定個所を打抜き突設させてトーションスプリングの端部を係止するための係止爪を設けたから、該トーションスプリングの反力に対する強度が高まり、ステアリングホイールの操作力を大きくすることができる。又、該係止爪は前記背板を打抜き突設させて形成するため、従来例のように別部品を設け、之を該背板にボルト締めして固設する必要がなくなる。
【００２２】
更に、該背板に開口部を設け、該開口部にラジアルベアリングを挿着し、該ラジアルベアリングにシャフトを軸支し、且つ、該ラジアルベアリングにポテンショメータを嵌挿するようにしたので、該シャフトの回転が円滑になり、又、前記シャフトに前記背板を取付けた後にポテンショメータを前記シャフトに取付けることができるため、組立の作業性が著しく向上する等、正に著大なる効果を奏する発明である。
【図面の簡単な説明】
【図１】本発明の一実施の形態を示し、ステアリングホイール型コントローラの縦断面図。
【図２】図１のシャフト及び背板並びにポテンショメータを示す斜視図。
【図３】従来例を示し、ステアリングホイール型コントローラの縦断面図。
【図４】図３のシャフト及び背板並びにポテンショメータを示す斜視図。
【符号の説明】
２０        ステアリングホイール型コントローラ
２１        ステアリングホイール
２２        シャフト
２３        ポテンショメータ
２４        背板
２５        トーションスプリング
３１        開口部
３２        ラジアルベアリング
３３        係止爪
【図１】
0003972543.tif 000002
【図２】
0003972543.tif 000003
【図３】
0003972543.tif 000004
【図４】
0003972543.tif 000005